(57)【特許請求の範囲】
【請求項１】
スロットの外周側に配置され、外周側コア嵌合部を有するとともにヨーク部を構成する外周側コアと、
前記外周側コアの内周側において、前記外周側コア嵌合部に嵌合される内周側コア嵌合部を有するとともにティース部を構成する内周側コアと、
前記スロットに配置されるコイルと、
前記コイルを覆うように設けられる絶縁部材と、
前記絶縁部材と、前記外周側コアの前記コイルと対向する面との間に設けられ、前記外周側コア嵌合部に前記内周側コア嵌合部を嵌合する際に、前記外周側コアと前記絶縁部材とが干渉するのを防止するための薄板状の保護部材とを備える、ステータ。
【請求項２】
前記保護部材は、絶縁性を有する部材からなる、請求項１に記載のステータ。
【請求項３】
前記コイルを覆うように設けられる前記絶縁部材は、芯材を含み、
前記絶縁性を有する保護部材の摩擦係数は、前記絶縁部材の前記芯材の摩擦係数よりも小さい、請求項２に記載のステータ。
【請求項４】
半径方向から見て、前記保護部材は、前記外周側コアおよび前記内周側コアの回転軸方向の一方側の端面から他方側の端面に渡って延びるように配置されている、請求項１〜３のいずれか１項に記載のステータ。
【請求項５】
前記スロットは複数設けられ、
前記保護部材は、前記複数のスロットの各々において、前記絶縁部材と、前記外周側コアの前記コイルと対向する面との間に設けられている、請求項１〜４のいずれか１項に記載のステータ。
【請求項６】
スロットの外周側に配置される外周側コアの外周側コア嵌合部に嵌合される内周側コア嵌合部を有するとともに、ティース部を構成する内周側コアに、コイルを取り付ける工程と、
前記内周側コアに取り付けられた前記コイルの前記外周側コアと対向する側に、前記外周側コアと前記コイルを覆うように設けられる絶縁部材とが干渉するのを防止するための薄板状の保護部材を配置する工程と、
前記保護部材の表面に対して、前記外周側コアの前記コイルと対向する面を摺動させるように、前記外周側コアを回転軸方向に沿って挿入することによって、前記外周側コアの内周側において、前記外周側コアの前記外周側コア嵌合部に、前記内周側コアの前記内周側コア嵌合部を嵌合させる工程とを備える、ステータの製造方法。
【請求項７】
前記スロットは複数設けられ、
前記保護部材を配置する工程は、前記複数のスロットの各々において、半径方向から見て、少なくとも、前記外周側コアおよび前記内周側コアの回転軸方向の一方側の端面から他方側の端面に渡って延びるように、前記保護部材を配置する工程を含む、請求項６に記載のステータの製造方法。
【請求項８】
前記保護部材を配置する工程は、絶縁性を有する部材からなる前記保護部材を、前記内周側コアに取り付けられた前記コイルの前記外周側コアと対向する側に配置する工程を含む、請求項６または７に記載のステータの製造方法。
【請求項９】
前記保護部材を配置する工程は、
前記保護部材が、前記外周側コアが挿入される第１方向とは反対の第２方向側に向かって、外周側から内周側に湾曲する形状を有するように、前記保護部材を、第１治具に取り付ける工程と、
前記第１治具に取り付けられた前記保護部材を、前記内周側コアに取り付けられた前記コイルの前記外周側コアと対向する側に配置する工程とを含む、請求項６〜８のいずれか１項に記載のステータの製造方法。
【請求項１０】
前記外周側コア嵌合部に前記内周側コア嵌合部を嵌合させる工程は、
ガイド面を有する第２治具を、前記外周側コアの前記第１方向側に配置する工程と、
外周側から内周側に湾曲する形状を有する前記保護部材に対して、前記第２治具の前記ガイド面を摺動させるように、前記外周側コアを前記第１方向に沿って挿入することによって、前記外周側コアの内周側において、前記外周側コアの前記外周側コア嵌合部に、前記内周側コアの前記内周側コア嵌合部を嵌合させる工程とを含む、請求項９に記載のステータの製造方法。
【請求項１１】
前記コイルが取り付けられた状態の前記内周側コアに対して、前記内周側コアの前記内周側コア嵌合部に嵌合する治具嵌合部を有する第３治具を、前記内周側コア嵌合部に対して前記治具嵌合部を摺動させるように、前記外周側コアが挿入される第１方向に沿って移動させることにより、前記内周側コアの形状を矯正する工程をさらに備える、請求項６〜１０のいずれか１項に記載のステータの製造方法。
【発明の詳細な説明】
【技術分野】
【０００１】
本発明は、ステータおよびステータの製造方法に関する。
【背景技術】
【０００２】
従来、外周側コアと内周側コアとを備えるステータおよびステータの製造方法が知られている（たとえば、特許文献１参照）。
【０００３】
上記特許文献１に記載のステータでは、スロットに対して外周側に位置する複数のヨークコア部（外周側コア）と、スロットの周方向側に位置し、ヨークコア部同士を連結する複数のティースコア部（内周側コア）とを備えるステータが開示されている。このステータでは、複数のティースコア部にコイルを配置した状態で、隣り合うティースコア部の間に、ヨークコア部を嵌合させるように構成されている。
【先行技術文献】
【特許文献】
【０００４】
【特許文献１】特開２０１０−２３３３８７号公報
【発明の概要】
【発明が解決しようとする課題】
【０００５】
しかしながら、上記特許文献１のステータでは、複数のティースコア部にコイルを配置した状態で、隣り合うティースコア部の間に、ヨークコア部を嵌合させるように構成されているため、隣り合うティースコア部（内周側コア）の間にヨークコア部（外周側コア）を嵌合させる際に、コイル、および、コイルを覆うように設けられる絶縁部材にヨークコア部が衝突する場合がある。このため、コイル、および、コイルを覆うように設けられる絶縁部材が破損する場合があるという問題点がある。
【０００６】
この発明は、上記のような課題を解決するためになされたものであり、この発明の１つの目的は、外周側コアに内周側コアを嵌合させる際に、コイル、および、コイルを覆うように設けられる絶縁部材が破損するのを防止することが可能なステータおよびステータの製造方法を提供することである。
【課題を解決するための手段】
【０００７】
上記目的を達成するために、この発明の第１の局面におけるステータは、スロットの外周側に配置され、外周側コア嵌合部を有するとともにヨーク部を構成する外周側コアと、外周側コアの内周側において、外周側コア嵌合部に嵌合される内周側コア嵌合部を有するとともにティース部を構成する内周側コアと、スロットに配置されるコイルと、コイルを覆うように設けられる絶縁部材と、絶縁部材と、外周側コアのコイルと対向する面との間に設けられ、外周側コア嵌合部に内周側コア嵌合部を嵌合する際に、外周側コアと絶縁部材とが干渉するのを防止するための薄板状の保護部材とを備える。
【０００８】
この発明の第１の局面によるステータでは、上記のように、絶縁部材と、外周側コアのコイルと対向する面との間に設けられ、外周側コア嵌合部に内周側コア嵌合部を嵌合する際に、外周側コアと絶縁部材とが干渉するのを防止するための薄板状の保護部材を備える。これにより、外周側コア嵌合部を内周側コア嵌合部に嵌合する際に、外周側コアと、コイルおよびコイルを覆うように設けられる絶縁部材とが衝突するのが保護部材により防止される。その結果、外周側コアに内周側コアを嵌合させる際に、コイル、および、コイルを覆うように設けられる絶縁部材が破損するのを防止することができる。
【０００９】
この発明の第２の局面におけるステータの製造方法は、スロットの外周側に配置される外周側コアの外周側コア嵌合部に嵌合される内周側コア嵌合部を有するとともに、ティース部を構成する内周側コアに、コイルを取り付ける工程と、内周側コアに取り付けられたコイルの外周側コアと対向する側に、外周側コアとコイルを覆うように設けられる絶縁部材とが干渉するのを防止するための薄板状の保護部材を配置する工程と、保護部材の表面に対して、外周側コアのコイルと対向する面を摺動させるように、外周側コアを回転軸方向に沿って挿入することによって、外周側コアの内周側において、外周側コアの外周側コア嵌合部に、内周側コアの内周側コア嵌合部を嵌合させる工程とを備える。
【００１０】
この発明の第２の局面によるステータの製造方法では、上記のように、内周側コアに取り付けられたコイルの外周側コアと対向する側に、外周側コアとコイルを覆うように設けられる絶縁部材とが干渉するのを防止するための薄板状の保護部材を配置する工程と、保護部材の表面に対して、外周側コアのコイルと対向する面を摺動させるように、外周側コアを回転軸方向に沿って挿入することによって、外周側コアの内周側において、外周側コアの外周側コア嵌合部に、内周側コアの内周側コア嵌合部を嵌合させる工程とを備える。これにより、外周側コア嵌合部を内周側コア嵌合部に嵌合する際に、外周側コアと、コイルおよびコイルを覆うように設けられる絶縁部材とが衝突するのが保護部材により防止される。その結果、外周側コアに内周側コアを嵌合させる際に、コイル、および、コイルを覆うように設けられる絶縁部材が破損するのを防止することが可能なステータの製造方法を提供することができる。
【発明の効果】
【００１１】
本発明によれば、上記のように、外周側コアに内周側コアを嵌合させる際に、コイル、および、コイルを覆うように設けられる絶縁部材が破損するのを防止することができる。
【図面の簡単な説明】
【００１２】
【図１】本発明の一実施形態によるステータの断面図である。
【図２】本発明の一実施形態によるステータ（保護部材）を回転軸方向から見た図である。
【図３】本発明の一実施形態によるステータコアを回転軸方向から見た図である。
【図４】本発明の一実施形態による外周側コアを回転軸方向から見た図である。
【図５】本発明の一実施形態による内周側コアを回転軸方向から見た図である。
【図６】本発明の一実施形態によるコイルを回転軸方向から見た図である。
【図７】本発明の一実施形態による絶縁部材の断面図である。
【図８】本発明の一実施形態による端面板を回転軸方向から見た図である。
【図９】本発明の一実施形態によるステータコアに端面板を配置した状態（端面板の移動後）を示す図である。
【図１０】本発明の一実施形態によるステータコアに端面板を配置した状態（端面板の移動前）を示す図である。
【図１１】本発明の一実施形態による内周側コアにマンドレルを取り付けた状態を回転軸方向から見た図である。
【図１２】本発明の一実施形態による内周側コアにマンドレルを取り付けた状態の断面図である。
【図１３】内周側コアの形状を矯正する工程を説明するための図である。
【図１４】治具２３０（２５０）を回転軸方向から見た図である。
【図１５】内周側コアに取り付けられたコイルの外周側コアと対向する側に、保護部材を配置する工程を説明するための図である。
【図１６】図１５の一部分を示す図である。
【図１７】外周側コア嵌合部に内周側コア嵌合部を嵌合させる工程を説明するための図である。
【図１８】本発明の一実施形態の第１変形例によるステータ（保護部材）を回転軸方向から見た図である。
【図１９】本発明の一実施形態の第２変形例による端面板を回転軸方向から見た図である。
【図２０】本発明の一実施形態の第３変形例によるステータの断面図である。
【発明を実施するための形態】
【００１３】
以下、本発明の実施形態を図面に基づいて説明する。
【００１４】
［本実施形態］
（ステータの構造）
図１〜図１０を参照して、本実施形態によるステータ１００の構造について説明する。
【００１５】
図１に示すように、ステータ１００は、ステータコア１０と、コイル４０とを含む。図２および図３に示すように、ステータコア１０は、外周側コア２０と、内周側コア３０とを含む。
【００１６】
図４に示すように、外周側コア２０は、略円環状の鋼板を回転軸方向（Ｚ方向）に積層することにより形成されている。また、外周側コア２０は、スロット１１（図３参照）の外周側に配置される外周側コア嵌合部２１を有する。外周側コア嵌合部２１は、外周側コア２０の内周側に設けられており、後述する内周側コア嵌合部３１が周方向および半径方向に嵌合するように構成されている。また、外周側コア嵌合部２１は、回転軸方向（Ｚ方向）に延びる溝部２１ａにより構成されている。また、隣り合う溝部２１ａ間には、歯部２１ｂが設けられている。また、外周側コア嵌合部２１（溝部２１ａ）は、複数（本実施形態では、４８個）設けられている。また、外周側コア２０は、ヨーク部２２を構成する。
【００１７】
また、外周側コア２０は、ボルトなどの固定具（図示せず）が挿入される締結孔２３を有する。締結孔２３は、複数（本実施形態では、３個）設けられている。そして、締結孔２３に固定具（図示せず）が挿入されて締結されることにより、ステータ１００は、図示しないステータハウジングなどに取り付けられる。また、締結孔２３は、外周側に突出する耳部２５に設けられている。
【００１８】
図５に示すように、内周側コア３０は、略円環状の鋼板を回転軸方向（Ｚ方向）に積層することにより形成されている。また、内周側コア３０は、外周側コア２０の内周側において、外周側コア嵌合部２１に周方向および半径方向に嵌合される内周側コア嵌合部３１を有する。これにより、内周側コア嵌合部３１は、外周側コア嵌合部２１に対して、周方向および半径方向に移動するのが抑制されている。また、内周側コア嵌合部３１は、内周側コア３０の外周側に設けられている。また、内周側コア嵌合部３１は、複数（本実施形態では、４８個）設けられている。また、内周側コア３０は、コイル４０が巻回されるティース部３２を構成する。また、内周側コア嵌合部３１は、ティース部３２の半径方向外側端部に設けられている。
【００１９】
また、図６に示すように、コイル４０は、１つの第１コイル部４１、１つの第２コイル部４２、および、複数（本実施形態では、６個）の第３コイル部４３を含む。第１コイル部４１は、スロット１１の外周側に配置されている単層重ね巻コイルからなる。第２コイル部４２は、スロット１１の内周側に配置されている単層重ね巻コイルからなる。第３コイル部４３は、周方向の一方側の部分がスロット１１の外周側に配置され、周方向の他方側の部分がスロット１１の内周側に配置される２層重ね巻コイルからなる。
【００２０】
また、図２に示すように、コイル４０は、スロット１１に配置されている。また、コイル４０は、丸線からなる導線を巻回することにより形成されている。また、コイル４０には、丸線からなるコイル４０を覆うように絶縁部材４４が設けられている。
【００２１】
また、図７に示すように、絶縁部材４４は、たとえば、ＰＥＮ（ｐｏｌｙｅｔｈｙｌｅｎｅ  ｎａｐｈｔｈａｌａｔｅ）フィルムからなる芯材４４ａと、芯材４４ａの両面を覆うように設けられるアラミド繊維からなる表面部材４４ｂとからなる。また、絶縁部材４４は、シート状を有している。そして、コイル４０を包み込むように、コイル４０に巻かれている。また、図２に示すように、シート状の絶縁部材４４は、絶縁部材４４の一方端側４４ｃと他方端側４４ｄとがオーバラップするように、コイル４０に巻かれている。これにより、コイル４０が露出するのを防止することが可能になる。
【００２２】
ここで、本実施形態では、図２に示すように、絶縁部材４４と、外周側コア２０のコイル４０と対向する面２０ａとの間には、薄板状の保護部材４５が設けられている。保護部材４５は、外周側コア嵌合部２１に内周側コア嵌合部３１を嵌合する際に、外周側コア２０と絶縁部材４４とが干渉するのを防止するように構成されている。また、保護部材４５の外周側の表面が、外周側コア２０のコイル４０と対向する面２０ａに接するとともに、保護部材４５の内周側の表面が、絶縁部材４４に接している。
【００２３】
また、本実施形態では、保護部材４５は、絶縁性を有する部材（たとえば、アラミド繊維）からなる。そして、絶縁性を有する保護部材４５（たとえば、アラミド繊維）の摩擦係数は、絶縁部材４４の芯材４４ａ（たとえば、ＰＥＮフィルム）の摩擦係数よりも小さい。
【００２４】
また、本実施形態では、図１に示すように、半径方向から見て、保護部材４５は、外周側コア２０および内周側コア３０の回転軸方向の一方側の端面１０ａ（ステータコア１０の一方側の端面１０ａ）から他方側の端面１０ｂ（ステータコア１０の他方側の端面１０ｂ）に渡って延びるように配置されている。具体的には、保護部材４５は、外周側コア２０および内周側コア３０の回転軸方向の一方側の端面１０ａから、回転軸方向外側に長さＬ１分、突出しているとともに、外周側コア２０および内周側コア３０の回転軸方向の他方側の端面１０ｂから、回転軸方向外側に長さＬ２分、突出している。
【００２５】
また、図１に示すように、保護部材４５は、回転軸方向から見て、スロット１１の周方向の一方端側から他方端側まで延びるように配置されている。また、保護部材４５は、半径方向から見て、短冊形状（長方形形状）（図１５参照）を有する。すなわち、スロット１１に配置されるコイル４０の部分の外周側コア２０に対向する側（コイル４０の外周側）の略全領域が、保護部材４５に覆われている。
【００２６】
また、図２に示すように、スロット１１は、複数（本実施形態では、４８個）設けられている。そして、本実施形態では、保護部材４５は、複数のスロット１１の各々において、絶縁部材４４と、外周側コア２０のコイル４０と対向する面２０ａとの間に設けられている。
【００２７】
また、図１に示すように、ステータ１００には、外周側コア２０および内周側コア３０の回転軸方向の一方側（Ｚ１方向側）と他方側（Ｚ２方向側）との両方の端部（端面１０ａ、１０ｂ）において外周側コア２０および内周側コア３０を挟み込むように配置される端面板５０（端面板５０ａおよび５０ｂ）が設けられている。なお、端面板５０ａおよび５０ｂは、同一の形状を有する。また、端面板５０は、ステータコア１０を形成する鋼板と同一の材料により形成されている。なお、Ｚ１方向およびＺ２方向は、それぞれ、特許請求の範囲の「第２方向」および「第１方向」の一例である。
【００２８】
図８に示すように、端面板５０は、外周側コア２０および内周側コア３０を構成する鋼板と同じ材質および厚みを有する鋼板により、略円環状に形成されている。端面板５０は、外周側コア２０の外周側コア嵌合部２１の溝部２１ａおよび歯部２１ｂにそれぞれ対応する形状を有する溝部５２および歯部５３を含んでいる。また、溝部５２および歯部５３は、それぞれ、複数（本実施形態では、４８個）設けられている。また、歯部５３は、隣り合う２つの溝部５２の間に設けられている。
【００２９】
また、図８に示すように、端面板５０は、複数（本実施形態では、３個）の端面板孔部５１を有する。図９に示すように、端面板孔部５１が、固定具（図示せず）が挿入されるステータコア１０の締結孔２３に対応する位置に配置された状態で、回転軸方向から見て、端面板５０（歯部５３）は、外周側コア嵌合部２１と内周側コア嵌合部３１とに跨るように、外周側コア２０および内周側コア３０の回転軸方向の端部に配置されている。また、端面板孔部５１は、外周側に突出する耳部５５に設けられている。
【００３０】
また、図１０に示すように、端面板５０は、回転軸方向から見て、端面板５０の端面板孔部５１が締結孔２３に対して周方向（Ｒ２方向）にずれた状態では、外周側コア２０に対して内周側コア３０を回転軸方向に嵌合可能なように、外周側コア嵌合部２１と内周側コア嵌合部３１とに跨らないように構成されている。
【００３１】
また、図９および図１０に示すように、保護部材４５は、回転軸方向から見て、端面板５０の内周側の縁部５０ｃよりも、内周側に配置されている。すなわち、端面板５０がステータコア１０に配置されて状態で、回転軸方向から見て、保護部材４５は露出している。
【００３２】
また、端面板５０の外周側（外側面５４）の形状（図８参照）は、外周側コア２０の外周側（外側面２４）の形状（図４参照）に略等しい。
【００３３】
（本実施形態の構造の効果）
本実施形態では、以下のような効果を得ることができる。
【００３４】
本実施形態では、上記のように、絶縁部材４４と、外周側コア２０のコイル４０と対向する面２０ａとの間に設けられ、外周側コア嵌合部２１に内周側コア嵌合部３１を嵌合する際に、外周側コア２０と絶縁部材４４とが干渉するのを防止するための薄板状の保護部材４５を備える。これにより、外周側コア嵌合部２１を内周側コア嵌合部３１に嵌合する際に、外周側コア２０と、コイル４０およびコイル４０を覆うように設けられる絶縁部材４４とが衝突するのが保護部材４５により防止される。その結果、外周側コア２０に内周側コア３０を嵌合させる際に、コイル４０、および、コイル４０を覆うように設けられる絶縁部材４４が破損するのを防止することができる。
【００３５】
また、本実施形態では、上記のように、保護部材４５は、絶縁性を有する部材からなる。これにより、保護部材４５が導電性を有する部材からなる場合と異なり、外周側コア２０に内周側コア３０を嵌合させた後においても、絶縁性を有する部材からなる保護部材４５を取り除く必要はない。
【００３６】
また、本実施形態では、上記のように、コイル４０を覆うように設けられる絶縁部材４４は、芯材４４ａを含み、絶縁性を有する保護部材４５の摩擦係数は、絶縁部材４４の芯材４４ａの摩擦係数よりも小さい。これにより、容易に、保護部材４５の表面に対して、外周側コア２０のコイル４０と対向する面２０ａを摺動させることができる。
【００３７】
また、本実施形態では、上記のように、半径方向から見て、保護部材４５を、外周側コア２０および内周側コア３０の回転軸方向の一方側の端面１０ａから他方側の端面１０ｂに渡って延びるように配置する。これにより、コイル４０（絶縁部材４４）の外周側コア２０と対向する側の表面の略全領域が保護部材４５に覆われるので、外周側コア２０と絶縁部材４４（コイル４０）とが干渉するのを確実に防止することができる。
【００３８】
また、本実施形態では、上記のように、保護部材４５を、複数のスロット１１の各々において、絶縁部材４４と、外周側コア２０のコイル４０と対向する面２０ａとの間に設ける。これにより、複数のコイル４０（絶縁部材４４）の全ての外周側コア２０と対向する側の表面が保護部材４５に覆われるので、外周側コア２０と複数のコイル４０（絶縁部材４４）とが干渉するのを確実に防止することができる。
【００３９】
（ステータの製造方法）
図１１〜図１７を参照して、第１実施形態によるステータ１００の製造方法について説明する。
【００４０】
まず、図１１および図１２に示すように、内周側コア３０に、コイル４０を取り付ける。なお、内周側コア３０は、スロット１１の外周側に配置される外周側コア２０の外周側コア嵌合部２１に嵌合される内周側コア嵌合部３１を有するとともに、ティース部３２を構成する。
【００４１】
次に、内周側コア３０の内周側に、略円筒状のマンドレル２１０を配置する。
【００４２】
次に、図１３に示すように、マンドレル２１０が取り付けられた状態の内周側コア３０を、スタンド２２０に配置する。なお、スタンド２２０には、Ｚ方向に延びるように設けられる棒状部材２２１が取り付けられている。棒状部材２２１は、スロット１１と同じ数分（本実施形態では、４８個）設けられている。そして、棒状部材２２１が、内周側コア３０の隣接するティース部３２間に配置されることにより、内周側コア３０がスタンド２２０に固定される。
【００４３】
次に、本実施形態では、図１３に示すように、コイル４０が取り付けられた状態の内周側コア３０に対して、治具２３０を外周側コア２０が挿入されるＺ２方向に沿って移動させる。これにより、内周側コア３０の形状（および、コイル４０の形状）を矯正する。具体的には、図１４に示すように、治具２３０は、回転軸方向から見て、円環状に形成されている。また、治具２３０の内周側には、内周側コア３０の内周側コア嵌合部３１に嵌合する治具嵌合部２３１が設けられている。治具嵌合部２３１は、内周側コア嵌合部３１に嵌合する複数の溝部２３１ａと、隣接する溝部２３１ａ間に設けられる歯部２３１ｂとを有する。なお、図１３に示すように、歯部２３１ｂの下方側（Ｚ２方向側）は、Ｚ２方向側に向かって、半径方向外側に広がるガイド面２３２（傾斜面）が形成されている。そして、内周側コア嵌合部３１に対して治具嵌合部２３１（溝部２３１ａ）を摺動させるように、治具２３０を、外周側コア２０が挿入されるＺ２方向に沿って移動させる。これにより、内周側コア３０が変形している場合でも、内周側コア３０が所望の形状（図５に示す形状）に矯正される。なお、治具２３０は、特許請求の範囲の「第３治具」の一例である。
【００４４】
次に、本実施形態では、図１５および図１６に示すように、保護部材４５を、治具２４０に取り付ける。これにより、保護部材４５が、外周側コア２０が挿入されるＺ２方向とは反対のＺ１方向側に向かって、外周側から内周側に湾曲する形状を有するように形成される。具体的には、図１６に示すように、治具２４０は、外周側コア２０が挿入されるＺ２方向とは反対のＺ１方向側に向かって先細りの傾斜面２４１ａを有する治具２４１を含む。また、治具２４０は、治具２４１のＺ１方向側に取り付けられる治具２４２を含む。そして、保護部材４５のＺ１方向側の端部が、治具２４１の傾斜面２４１ａに配置されることにより、保護部材４５は、Ｚ１方向側に向かって、外周側から内周側に湾曲する形状を有するように変形される。また、治具２４１の傾斜面２４１ａに保護部材４５が配置された状態で、治具２４１のＺ１方向側に治具２４２を取り付けることにより、保護部材４５が、治具２４１と治具２４２とに挟み込まれて固定される。なお、治具２４０は、特許請求の範囲の「第１治具」の一例である。
【００４５】
そして、内周側コア３０に取り付けられたコイル４０の外周側コア２０と対向する側に、外周側コア２０とコイル４０を覆うように設けられる絶縁部材４４とが干渉するのを防止するための、治具２４０に取り付けられた薄板状の保護部材４５を配置する。なお、保護部材４５は、上記のように、絶縁性を有する部材（たとえば、アラミド繊維）からなる。
【００４６】
また、上記のように、スロット１１は、複数(本実施形態では、４８個)設けられている。そして、保護部材４５は、複数のスロット１１の各々において、半径方向から見て、少なくとも、外周側コア２０および内周側コア３０の回転軸方向の一方側の端面１０ａから他方側の端面１０ｂに渡って延びるように配置される。具体的には、半径方向から見て、保護部材４５は、外周側コア２０および内周側コア３０の回転軸方向の一方側の端面１０ａから他方側の端面１０ｂまでの長さよりも長く形成されている。これにより、保護部材４５は、外周側コア２０および内周側コア３０の一方側の端面１０ａの上方側（Ｚ１方向側、治具２３０側）から、外周側コア２０および内周側コア３０の他方側の端面１０ｂの下方側（Ｚ２方向側）に渡って配置されている。
【００４７】
次に、本実施形態では、図１７に示すように、ガイド面２５２を有する治具２５０を、外周側コア２０のＺ２方向側に配置する。図１４に示すように、治具２５０は、治具２３０と略同一の形状を有する。すなわち、治具２５０は、回転軸方向から見て、円環状に形成されている。また、治具２５０の内周側には、内周側コア３０の内周側コア嵌合部３１に嵌合する治具嵌合部２５１が設けられている。治具嵌合部２５１は、内周側コア嵌合部３１に嵌合する複数の溝部２５１ａと、隣接する溝部２５１ａ間に設けられる歯部２５１ｂとを有する。なお、図１７に示すように、歯部２５１ｂの下方側（Ｚ２方向側）は、Ｚ２側に向かって、半径方向外側に広がるガイド面２５２(傾斜面)が形成されている。また、治具２５０は、特許請求の範囲の「第２治具」の一例である。
【００４８】
なお、外周側コア２０の回転軸方向の一方側の端面および他方側の端面には、予め、端面板５０が配置されている。端面板５０は、図１０に示すように、外周側コア２０に対して内周側コア３０を回転軸方向に嵌合可能なように、外周側コア嵌合部２１と内周側コア嵌合部３１とに跨らないように配置される。これにより、端面板５０を介して、周側コア２０に対して内周側コア３０を回転軸方向に嵌合可能になる。
【００４９】
次に、本実施形態では、図１７に示すように、保護部材４５の表面に対して、外周側コア２０のコイル４０と対向する面２０ａを摺動させるように、外周側コア２０を回転軸方向に沿って挿入することによって、外周側コア２０の内周側において、外周側コア２０の外周側コア嵌合部２１に、内周側コア３０の内周側コア嵌合部３１を嵌合させる。具体的には、外周側から内周側に湾曲する形状を有する保護部材４５に対して、治具２５０のガイド面２５２を摺動させるように、外周側コア２０をＺ２方向に沿って挿入することによって、外周側コア２０の内周側において、外周側コア２０の外周側コア嵌合部２１に、内周側コア３０の内周側コア嵌合部３１を嵌合させる。
【００５０】
次に、保護部材４５の、外周側コア２０および内周側コア３０（ステータコア１０）の一方側の端面１０ａ、および、他方側の端面１０ｂから突出した保護部材４５の部分を切断する。
【００５１】
最後に、図９に示すように、端面板５０を周方向に移動させて、回転軸方向から見て、端面板５０（歯部５３）を、外周側コア嵌合部２１と内周側コア嵌合部３１とに跨るように配置する。
【００５２】
（本実施形態の製造方法の効果）
本実施形態では、以下のような効果を得ることができる。
【００５３】
本実施形態では、上記のように、内周側コア３０に取り付けられたコイル４０の外周側コア２０と対向する側に、外周側コア２０とコイル４０を覆うように設けられる絶縁部材４４とが干渉するのを防止するための薄板状の保護部材４５を配置する工程と、保護部材４５の表面に対して、外周側コア２０のコイル４０と対向する面２０ａを摺動させるように、外周側コア２０を回転軸方向に沿って挿入することによって、外周側コア２０の内周側において、外周側コア２０の外周側コア嵌合部２１に、内周側コア３０の内周側コア嵌合部３１を嵌合させる工程とを備える。これにより、外周側コア嵌合部２１を内周側コア嵌合部３１に嵌合する際に、外周側コア２０と、コイル４０およびコイル４０を覆うように設けられる絶縁部材４４とが衝突するのが保護部材４５により防止される。その結果、外周側コア２０に内周側コア３０を嵌合させる際に、コイル４０、および、コイル４０を覆うように設けられる絶縁部材４４が破損するのを防止することができる。
【００５４】
また、本実施形態では、上記のように、保護部材４５を配置する工程は、複数のスロット１１の各々において、少なくとも、半径方向から見て、外周側コア２０および内周側コア３０の回転軸方向の一方側の端面１０ａから他方側の端面１０ｂに渡って延びるように、保護部材４５を配置する工程を含む。これにより、コイル４０（絶縁部材４４）の外周側コア２０と対向する側の表面の略全領域が保護部材４５に覆われるので、外周側コア２０と絶縁部材４４（コイル４０）とが干渉するのを確実に防止することができる。
【００５５】
また、本実施形態では、上記のように、保護部材４５を配置する工程は、絶縁性を有する部材からなる保護部材４５を、内周側コア３０に取り付けられたコイル４０の外周側コア２０と対向する側に配置する工程を含む。これにより、保護部材４５が導電性を有する部材からなる場合と異なり、外周側コア２０に内周側コア３０を嵌合させた後においても、絶縁性を有する部材からなる保護部材４５を取り除く必要はない。その結果、保護部材４５を取り除く場合と異なり、ステータ１００の製造の工程数が増加するのを防止することができる。
【００５６】
また、本実施形態では、上記のように、保護部材４５を配置する工程は、保護部材４５が、外周側コア２０が挿入されるＺ２方向とは反対のＺ１方向側に向かって、外周側から内周側に湾曲する形状を有するように、保護部材４５を、治具２４０に取り付ける工程と、治具２４０に取り付けられた保護部材４５を、内周側コア３０に取り付けられたコイル４０の外周側コア２０と対向する側に配置する工程とを含む。これにより、保護部材４５が外周側から内周側に湾曲する形状を有するので、保護部材４５の表面に対して、外周側コア２０のコイル４０と対向する面２０ａをスムーズに摺動させることができる。
【００５７】
また、本実施形態では、上記のように、外周側コア嵌合部２１に内周側コア嵌合部３１を嵌合させる工程は、ガイド面２５２を有する治具２５０を、外周側コア２０のＺ２方向側に配置する工程と、外周側から内周側に湾曲する形状を有する保護部材４５に対して、治具２５０のガイド面２５２を摺動させるように、外周側コア２０をＺ２方向に沿って挿入することによって、外周側コア２０の内周側において、外周側コア２０の外周側コア嵌合部２１に、内周側コア３０の内周側コア嵌合部３１を嵌合させる工程とを含む。これにより、保護部材４５の外周側から内周側に湾曲する形状に加えて、治具２５０にもガイド面２５２が設けられているので、保護部材４５の表面に対して、外周側コア２０のコイル４０と対向する面２０ａをよりスムーズに摺動させることができる。
【００５８】
また、本実施形態では、上記のように、コイル４０が取り付けられた状態の内周側コア３０に対して、内周側コア３０の内周側コア嵌合部３１に嵌合する治具嵌合部２３１を有する治具２３０を、内周側コア嵌合部３１に対して治具嵌合部２３１を摺動させるように、外周側コア２０が挿入されるＺ２方向に沿って移動させることにより、内周側コア３０の形状を矯正する工程を備える。これにより、比較的剛性の低い内周側コア３０の形状（および、形状が一定になりにくい丸線からなるコイル４０の形状）を、治具２３０により矯正することができる。
【００５９】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６０】
たとえば、上記実施形態では、保護部材が絶縁性を有する部材からなる例を示したが、本発明はこれに限られない。たとえば、図１８に示す第１変形例によるステータ１１０のように、保護部材１４５を磨き鋼板などの金属製の部材により構成してもよい。この場合、金属製の部材からなる保護部材は、外周側コア嵌合部２１に内周側コア嵌合部３１を嵌合させた後、ステータ１１０から取り除かれる。
【００６１】
また、上記実施形態では、保護部材が、絶縁性を有するアラミド繊維からなる例を示したが、本発明はこれに限られない。本発明では、保護部材を、アラミド繊維以外の絶縁性を有する部材から構成してもよい。
【００６２】
また、上記実施形態では、保護部材が、外周側コアおよび内周側コアの回転軸方向の一方側の端面から他方側の端面に渡って延びるように配置されている例を示したが、本発明はこれに限られない。たとえば、保護部材を、内周側コアの外周側コアが挿入される側にのみ設けてもよい。
【００６３】
また、上記実施形態では、図８に示すように、端面板５０に溝部５２および歯部５３が設けられている例を示したが、本発明はこれに限られない。たとえば、図１９に示す第２変形例によるステータ１２０の端面板６０のように、端面板６０の内周側の縁部６１を、略円形状に形成してよい。そして、端面板６０が、周方向に沿って、複数の外周側コア嵌合部２１と、複数の内周側コア嵌合部３１とに跨るように、端面板６０の内周側の縁部６１は、内周側コア嵌合部３１の外周側の縁部３１ａよりも内周側に配置されている。また、第２変形例では、回転軸方向の一方側と他方側とに設けられる端面板６０の形状は、同一である。
【００６４】
また、上記実施形態および第２変形例では、回転軸方向の一方側と他方側とに設けられる端面板５０（端面板６０）の形状が同一である例を示したが、本発明はこれに限られない。たとえば、図２０に示す第３変形例によるステータ１３０のように、回転軸方向の一方側（リード線が配置されるリード線側）に上記実施形態の端面板５０を配置するとともに、回転軸方向の他方側（リード線が配置される側とは反対側の反リード線側）に上記第２変形例の端面板６０を配置してもよい。
【００６５】
また、上記実施形態では、短冊形状（長方形形状）の保護部材が治具に取り付けられる例を示したが、本発明はこれに限られない。たとえば、櫛歯状の保護部材を治具に取り付けてもよい。これにより、複数の短冊形状の保護部材を個々に治具に取り付ける場合と異なり、保護部材の治具への取り付け作業を簡略化することができる。
【００６６】
また、上記実施形態では、図１３に示すように、コイル４０が取り付けられた状態の内周側コア３０に対して、治具２３０を外周側コア２０が挿入されるＺ２方向に沿って移動させて、内周側コア３０の形状（および、コイル４０の形状）を矯正する例を示したが、本発明はこれに限られない。たとえば、図１７に示す外周側コア２０のＺ２方向側に配置するガイド面２５２を有する治具２５０を、Ｚ２方向に沿って移動させて、内周側コア３０の形状（および、コイル４０の形状）を矯正するようにしてもよい。すなわち、治具２３０と治具２５０とを共通化してもよい。
【符号の説明】
【００６７】
１０ａ  （一方側の）端面
１０ｂ  （他方側の）端面
１１  スロット
２０  外周側コア
２０ａ  （外周側コアのコイルと対向する）面
２１  外周側コア嵌合部
２２  ヨーク部
３０  内周側コア
３１  内周側コア嵌合部
３２  ティース部
４０  コイル
４４  絶縁部材
４４ａ  芯材
４５、１４５  保護部材
１００、１１０、１２０、１３０  ステータ
２３０  治具（第３治具）
２３１  治具嵌合部
２４０  治具（第１治具）
２５０  治具（第２治具）
２５２  ガイド面
【図１】
0006484535.tif 000002
【図２】
0006484535.tif 000003
【図３】
0006484535.tif 000004
【図４】
0006484535.tif 000005
【図５】
0006484535.tif 000006
【図６】
0006484535.tif 000007
【図７】
0006484535.tif 000008
【図８】
0006484535.tif 000009
【図９】
0006484535.tif 000010
【図１０】
0006484535.tif 000011
【図１１】
0006484535.tif 000012
【図１２】
0006484535.tif 000013
【図１３】
0006484535.tif 000014
【図１４】
0006484535.tif 000015
【図１５】
0006484535.tif 000016
【図１６】
0006484535.tif 000017
【図１７】
0006484535.tif 000018
【図１８】
0006484535.tif 000019
【図１９】
0006484535.tif 000020
【図２０】
0006484535.tif 000021